(57)【要約】  電子機器と接続して電力を供給する電源装置であって、前記電子機器への電力の供給を制御する制御部と、前記電子機器から前記電子機器の電源状態または前記電子機器の動作状態を示す状態信号を受信し、前記状態信号に基づいて、前記制御部への電源電圧の供給を開始および停止するスイッチング回路と、を備える電源装置。
2012104980.tif 000002
【特許請求の範囲】
【請求項１】
電子機器と接続して電力を供給する電源装置であって、
前記電子機器への電力の供給を制御する制御部と、
前記電子機器から前記電子機器の電源状態または前記電子機器の動作状態を示す状態信号を受信し、前記状態信号に基づいて、前記制御部への電源電圧の供給を開始および停止するスイッチング回路と、
を備える電源装置。
【請求項２】
前記スイッチング回路は、前記状態信号に基づいて、前記電子機器への電力の供給の制御に用いる前記制御部への入力電圧をローレベルにすることを特徴とする請求項１記載の電源装置。
【請求項３】
前記スイッチング回路は、前記状態信号がハイレベル信号の場合に、前記制御部の電源電圧の供給を停止することを特徴とする請求項１または２記載の電源装置。
【請求項４】
前記スイッチング回路は、フォトカプラ又はフォトMOSであることを特徴とする請求項１乃至３記載の電源装置。
【請求項５】
電源装置と接続する電子機器であって、
前記電子機器に電力を供給するバッテリと、
前記電源装置または前記バッテリから供給される電力により動作し、前記電子機器の電源の状態または前記電子機器の動作状態を検出し、前記電子機器の電源状態または前記電子機器の動作状態を示す状態信号を前記電源装置に出力する状態検出部と、
を備える電子機器。
【請求項６】
前記電子機器の電源がオフの場合または前記電子機器が休止状態の場合、前記状態検出部は、前記状態信号としてハイレベル信号を出力することを特徴とする請求項５記載の電子機器。
【請求項７】
前記状態検出部は、前記電子機器の電源がオフの場合または前記電子機器が休止状態の場合、前記バッテリから供給される電力により動作することを特徴とする請求項５または６記載の電子機器。
【請求項８】
電力を供給する電源装置と、
前記電源装置と接続する電子機器と、
を備える電子機器システムであって、
前記電子機器は、
前記電子機器に電力を供給するバッテリと、
前記電源装置または前記バッテリから供給される電力により動作し、前記電子機器の電源状態または前記電子機器の動作状態を検出し、前記電子機器の電源の状態または前記電子機器の動作状態を示す状態信号を前記電源装置に出力する状態検出部と、
を備え、
前記電源装置は、
前記電子機器への電力の供給を制御する制御部と、
前記状態信号を受信し、前記状態信号に基づいて、前記制御部への電源電圧の供給を開始および停止するスイッチング回路と、
を備えることを特徴とする電子機器システム。
【請求項９】
前記スイッチング回路は、前記状態信号に基づいて、前記電子機器への電力の供給の制御に用いる前記制御部への入力電圧をローレベルにすることを特徴とする請求項８記載の電子機器システム。
【請求項１０】
前記スイッチング回路は、前記状態信号がハイレベル信号の場合に、前記制御部の電源電圧の供給を停止することを特徴とする請求項８または９記載の電子機器システム。
【請求項１１】
前記スイッチング回路は、フォトカプラ又はフォトMOSであることを特徴とする請求項８乃至１０記載の電子機器システム。
【請求項１２】
前記電子機器の電源がオフの場合または前記電子機器が休止状態の場合、前記状態検出部は、前記状態信号としてハイレベル信号を出力することを特徴とする請求項８記載の電子機器システム。
【請求項１３】
前記状態検出部は、前記電子機器の電源がオフの場合または前記電子機器が休止状態の場合、前記バッテリから供給される電力により動作することを特徴とする請求項８または１２記載の電子機器システム。
【発明の詳細な説明】
【技術分野】
【０００１】
本発明は、電子機器に電力を供給する電源装置、該電源装置と接続する電子機器、該電源装置および該電子機器を備える電子機器システムに関する。
【背景技術】
【０００２】
現在、パーソナルコンピュータ（PC）等の情報処理装置では、電力の供給のためにAlternating Current（ＡＣ）アダプタを用いている。【０００３】
ＰＣに接続されるＡＣアダプタは、ＰＣが休止状態または電源オフ状態においても微小電流が流れている。それにより、ＡＣアダプタ内部の一次側回路のPower Factor Correction（ＰＦＣ）制御回路及びPulse Width Modulation（ＰＷＭ）メイン制御回路にはＶＣＣという電源電圧が印加され一定の駆動電流が流れ込み、発振も繰り返されている。【０００４】
そのため、ＰＣの電源がオフの状態であっても電力消費が発生しているという問題があった。
【先行技術文献】
【特許文献】
【０００５】
【特許文献１】特開平０６−２９２３６３号公報
【発明の開示】
【発明が解決しようとする課題】
【０００６】
本発明の課題は、電源装置の消費電力を低減することである。
【課題を解決するための手段】
【０００７】
実施の形態の電源装置は、電子機器と接続して電力を供給する電源装置であって、前記電子機器への電力の供給を制御する制御部と、前記電子機器から前記電子機器の電源状態または前記電子機器の動作状態を示す状態信号を受信し、前記状態信号に基づいて、前記制御部への電源電圧の供給を開始および停止するスイッチング回路と、を備える。【０００８】
実施の形態の電子機器は、電源装置と接続する電子機器であって、前記電子機器に電力を供給するバッテリと、前記電源装置または前記バッテリから供給される電力により動作し、前記電子機器の電源の状態または前記電子機器の動作状態を検出し、前記電子機器の電源の状態または前記電子機器の動作状態を示す状態信号を前記電源装置に出力する状態検出部と、を備える。【０００９】
実施の形態の電子機器システムは、前記電源装置と、前記電子機器と、を備える。
【発明の効果】
【００１０】
実施の形態の電源装置によれば、電源装置の消費電力を低減することが出来る。
【図面の簡単な説明】
【００１１】
【図１】第１の実施の形態に係る電子機器システムの構成図である。
【図２】第２の実施の形態に係る電子機器システムの構成図である。
【図３】第１の実施の形態に係るＰＣの構成図である。
【図４】ＰＣの電源をオンからオフにしたときの各信号を示す図である。
【図５】ＰＣの電源をオフからオンにしたときの各信号を示す図である。
【図６】第１の実施の形態に係るＡＣアダプタの外観図である。
【発明を実施するための形態】
【００１２】
以下、図面を参照しながら実施の形態を説明する。
図１は、第１の実施の形態に係る電子機器システムの構成図である。
【００１３】
電子機器システム１０１は、ＡＣアダプタ２０１およびＰＣ３０１を備える。
ＡＣアダプタ２０１は、交流電源４０１と接続し、交流を直流に変換し、ＰＣ３０１に電力を供給する。尚、ＰＣ３０１は、ＡＣアダプタ２０１により電力が供給される電子機器の一例である。ＡＣアダプタ２０１と接続する電子機器は、ＰＣだけでなく、映像機器、音響機器、その他の各種機器でも良い。
【００１４】
ＰＣ３０１は、各種処理を行う電子機器である。
また、ＰＣ３０１は、バッテリを有しており、ＡＣアダプタ２０１またはバッテリから供給される電力によって動作する。例えば、ＡＣアダプタ２０１から電力が供給されている場合は、ＡＣアダプタ２０１からの電力によりＰＣ３０１は動作し、ＡＣアダプタ２０１からの電力がストップした場合は、バッテリから供給される電力によりＰＣ３０１は動作する。
【００１５】
ＰＣ３０１は、ＰＣ３０１の状態（電源状態または動作状態）を示す状態信号をＡＣアダプタ２０１に出力する。詳細には、ＰＣ３０１は、ＰＣ３０１が電源オフまたは休止状態のときに、ハイレベル信号をＡＣアダプタ２０１に出力する。また、ＰＣ３０１は、ＰＣ３０１が電源オンのときに、ローレベル信号又はオープン信号をＡＣアダプタ２０１に出力する。尚、休止状態は、ハイバネーションとも呼ばれ、メモリの情報をハードディスクに書き込み、ＰＣ３０１の電源をオフにした状態である。休止状態は、Advanced Configuration and Power Interface（ACPI）において、S4に相当する状態である。
尚、ＰＣ３０１の詳細な構成については後述する。
【００１６】
以下、ＡＣアダプタ２０１の詳細について説明する。
ＡＣアダプタ２０１は、ＡＣフィルタ２１１、整流回路２１２、ＰＦＣ回路２１３、ＰＦＣ制御回路２１４、制御回路２１５、トランス２１６、抵抗２１７−ｉ（ｉ＝１〜３）、コンデンサ２１８−ｊ（ｊ＝１〜２）、ダイオード２１９−ｊ、Metal Oxide Semiconductor Field Effect Transistor（MOSFET）２２０、トランジスタ２２１、フォトカプラ発光ダイオード２２２−ｉ、フォトカプラ受光トランジスタ２２３−ｉを備える。
【００１７】
トランス２１６は、コイル２２４−ｉを備える。
フォトカプラ発光ダイオード２２２−ｉは、フォトカプラ受光トランジスタ２２３−ｉと１つのフォトカプラを構成している。尚、フォトカプラの代わりにフォトMOSを使用してもよく、その場合はフォトカプラ発光ダイオード２２２−ｉはフォトMOS発光側、フォトカプラ受光トランジスタ２２３−ｉはフォトMOS受光側となる。
【００１８】
交流電源４０１と接続しているＡＣフィルタ２１１、整流回路２１２、ＰＦＣ回路２１３、ＰＦＣ制御回路２１４、制御回路２１５、トランス２１６、抵抗２１７−ｉ（ｉ＝１〜３）、コンデンサ２１８−１、ダイオード２１９−１、MOSFET２２０、トランジスタ２２１、フォトカプラ発光ダイオード２２２−３、フォトカプラ受光トランジスタ２２３−ｉは一次側回路である。
【００１９】
また、ＰＣ３０１と接続しているコンデンサ２１８−２、ダイオード２１９−２、フォトカプラ発光ダイオード２２２−１、２２２−２は、二次側回路である。
【００２０】
ＡＣフィルタ２１１は、入力された電圧や電流のノイズ及びＡＣアダプタから外部へ流れ出る電圧や電流のノイズをカットする。
【００２１】
整流回路２１２は、交流を直流に変換する。
ＰＦＣ回路２１３は、力率の改善のために電流の波形を変更する。また、整流回路２１２からの入力電圧をフォトカプラ受光トランジスタ２２３−３を介して、ＰＦＣ制御回路入力電圧として、ＰＦＣ制御回路２１４へ出力している。
【００２２】
ＰＦＣ制御回路２１４は、ＰＦＣ回路２１３を制御する。ＰＦＣ制御回路２１４はＰＦＣ制御回路入力電圧に基づいて、ＰＦＣ回路２１３を制御する。
【００２３】
制御回路２１５は、MOSFET２２０のゲートと接続し、ゲート信号を出力することにより、MOSFET２２０を制御する。制御回路２１５には、ＰＦＣ回路２１３から抵抗２１７−１を介して、制御回路入力電圧が入力されている。制御回路２１５は、制御回路入力電圧に基づいて、MOSFET２２０を制御する。制御回路２１５は、例えばＰＷＭ制御を行うＰＷＭ制御回路である。
【００２４】
ＰＦＣ制御回路２１４および制御回路２１５には、ＰＦＣ制御回路２１４および制御回路２１５を駆動する電源電圧ＶＣＣが印加されている。
【００２５】
トランス２１６は、電圧を変換する。
MOSFET２２０は、ＮチャネルＭＯＳＦＥＴであり、ドレインはコイル２２４−１は、ソースはコイル２２４−２、ゲートは制御回路２１５にそれぞれ接続している。
【００２６】
フォトカプラ発光ダイオード２２２−１は、状態信号端子を介してＰＣ３０１と接続している。フォトカプラ発光ダイオード２２２−１に電流が流れると、フォトカプラ受光トランジスタ２２３−１はオン状態となる。
【００２７】
また、フォトカプラ発光ダイオード２２２−２は、フォトカプラ発光ダイオード２２２−１と接続している。フォトカプラ発光ダイオード２２２−２に電流が流れると、フォトカプラ受光トランジスタ２２３−２はオン状態となる。
【００２８】
また、フォトカプラ発光ダイオード２２２−３は、トランジスタ２２１のエミッタとＰＦＣ制御回路２２２−３の間に配置されている。フォトカプラ発光ダイオード２２２−３に電流が流れると、フォトカプラ受光トランジスタ２２３−３はオン状態となる。
【００２９】
以下、第１の実施の形態のＡＣアダプタ２０１の動作について説明する。
ＰＣ３０１の電源がオンの時、状態信号端子はＰＣ３０１からローレベルまたはオープンの状態信号を受信する。状態信号がローレベルまたはオープンなのでフォトカプラ発光ダイオード２２２−１、２２２−２には、電流は流れず、フォトカプラ受光トランジスタ２２３−１、２２３−２はオフ状態となり、フォトカプラ受光トランジスタ２２３−１、２２３−２の電流は遮断されている。
【００３０】
制御回路２１５に対して、電源電圧ＶＣＣが印加され且つ制御回路入力電圧も印加されている。したがって、制御回路２１５は、動作可能となっている。
【００３１】
ＰＦＣ制御回路２１４に対しては電源電圧ＶＣＣが印加されており、フォトカプラ発光ダイオード２２２−３に電流が流れているので、フォトカプラ受光トランジスタ２２３−３はオン状態となり、ＰＦＣ回路２１３とＰＦＣ制御回路２１４間が導通し、ＰＦＣ制御回路２１４には、ＰＦＣ制御回路入力電圧が入力されている。  
【００３２】
このようにＡＣアダプタがＯＮしている状態においてはＰＦＣ制御回路２１４および制御回路２１５が動作し、ニ次側回路に接続されているＰＣ３０１に電力を供給している。
【００３３】
ＰＣ３０１の電源がオフまたは休止状態の時、ＰＣ３０１から状態信号端子にハイレベルの状態信号（例えば、５Ｖ）が入力されると、フォトカプラ発光ダイオード２２２−１、２２２−２へ電流が流れる。それにより、フォトカプラ受光トランジスタ２２３−１、２２３−２はオン状態、すなわち導通状態となり電源電圧ＶＣＣが低減される。さらに、制御２１５の制御回路入力電圧も低減される。
【００３４】
また、電源電圧ＶＣＣが低減されることに伴い、フォトカプラ発光ダイオード２２２−３への電流供給も低減され、フォトカプラ受光トランジスタ２２３−３の導通が途絶え、ＰＦＣ制御回路２１４に対するＰＦＣ制御回路入力電圧が切断される。
【００３５】
このようにＡＣアダプタ２０１がＯＦＦしている状態において、ＰＦＣ制御回路２１４および制御回路２１５は停止し、ＰＣ３０１への電力供給が中断される。
【００３６】
次に第２の実施の形態に係る電子機器システムについて説明する。
尚、以下の説明において、図面において同一の符号を付したものは同一のもの及び同様の効果を奏するものであるから、説明を省略する場合がある。
【００３７】
図２は、第２の実施の形態に係る処理システムの構成図である。
電子機器システム１０２は、ＡＣアダプタ２０２およびＰＣ３０１を備える。
【００３８】
ＡＣアダプタ２０２は、ＡＣフィルタ２１１、整流回路２１２、ＰＦＣ回路２１３、ＰＦＣ制御回路２１４、制御回路２１５、トランス２１６、抵抗２１７−ｉ（ｉ＝１〜３）、コンデンサ２１８−ｊ（ｊ＝１〜２）、ダイオード２１９−ｊ、Metal Oxide Semiconductor Field Effect Transistor（MOSFET）２２０、トランジスタ２２１、フォトカプラ発光ダイオード２２２−ｊ、フォトカプラ受光トランジスタ２２３−ｊ、MOFFET２２４を備える。（フォトカプラの代わりにフォトMOSを使用する場合もあるため、その場合はフォトカプラ発光ダイオードはフォトMOS発光側、フォトカプラ受光トランジスタはフォトMOS受光側となる。）
【００３９】
第２の実施の形態に係るＡＣアダプタ２０２は、第１の実施の形態に係るＡＣアダプタ２０１と比較すると、フォトカプラ発光ダイオード２２２−３、フォトカプラ受光トランジスタ２２３−３の代わりにMOSFET２０４を有している。
【００４０】
MOSFET２０４は、ＮチャネルＭＯＳＦＥＴであり、ソースはＰＦＣ制御回路２１４、ドレインはＰＦＣ回路２１３、ゲートはＰＦＣ制御回路２１４とトランジスタ２２１のエミッタとの間にそれぞれ接続されている。すなわち、ゲートには、ゲート電圧として電圧ＶＣＣが印加される。
【００４１】
以下、第２の実施の形態のＡＣアダプタ２０２の動作について説明する。
ＰＣ３０１の電源がオンの時、状態信号端子はＰＣ３０１からローレベルまたはオープンの状態信号を受信する。状態信号がローレベルなのでフォトカプラ発光ダイオード２２２−１、２２２−２には、電流は流れず、フォトカプラ受光トランジスタ２２３−１、２２３−２はオフ状態となり、フォトカプラ受光トランジスタ２２３−１、２２３−２の電流は遮断されている。
【００４２】
制御回路２１５に対して、電源電圧ＶＣＣが印加され且つ制御回路入力電圧も印加されている。したがって、制御回路２１５は、動作可能となっている。
【００４３】
ＰＦＣ制御回路２１４に対しては電源電圧ＶＣＣが印加されており、また、MOSFET２２４のゲートに電源電圧ＶＣＣが印加され、MOSFET２２４はオン状態となり、ＰＦＣ回路２１３とＰＦＣ制御回路２１４間が導通し、ＰＦＣ制御回路２１４には、ＰＦＣ制御回路入力電圧が入力されている。
【００４４】
このようにＡＣアダプタ２０２がＯＮしている状態においてはＰＦＣ制御回路２１４および制御回路２１５が動作し、二次側回路に接続されているＰＣ３０１に電力を供給している。
【００４５】
ＰＣ３０１の電源がオフまたは休止状態の時、ＰＣ３０１から状態信号端子にハイレベルの状態信号（例えば、５Ｖ）が入力されると、フォトカプラ発光ダイオード２２２−１、２２２−２へ電流が流れる。それにより、フォトカプラ受光トランジスタ２２３−１、２２３−２はオン状態、すなわち導通状態となり電源電圧ＶＣＣが低減される。さらに、制御２１５の制御回路入力電圧も低減される。
【００４６】
また、電源電圧ＶＣＣが低減されることに伴い、MOSFET２２４のゲート電圧も低減され、MOSFET２２４の導通が途絶え、ＰＦＣ制御回路２１４に対するＰＦＣ制御回路入力電圧が切断される。
【００４７】
このようにＡＣアダプタ２０２がＯＦＦしている状態において、ＰＦＣ制御回路２１４および制御回路２１５は停止し、ＰＣ３０１への電力供給が中断される。
【００４８】
図３は、第１の実施の形態に係るＰＣの構成図である。
尚、図３は、PC３０１の状態を示す状態信号の出力に関係する要素を示しており、中央処理装置(CPU)やメモリ、ハードディスクドライブ等の要素は省略している。
【００４９】
また、第１の実施の形態に係るＰＣ３０１の構成と第２の実施の形態に係るＰＣ３０１の構成は同一である。
【００５０】
ＰＣ３０１は、バッテリ３１１、ＤＣ／ＤＣコンバータ３１２、状態検出部３１３、抵抗３１４−ｉ、MOSFET３１５−１、３１５−２を備える。
【００５１】
バッテリ３１１は、繰り返し充放電可能な二次電池であり、例えば、リチウムイオン電池である。バッテリ３１１は、ＤＣ／ＤＣコンバータ３１２に電力を供給している。
【００５２】
ＤＣ／ＤＣコンバータ３１２は、直流電圧の変換を行い、MOSFET３１５−１にハイレベル信号Vsig、状態検出部３１３に電源電圧ＶＣＣを出力する。
【００５３】
状態検出部３１３は、ＰＣ３０１の状態を検出し、ＰＣ３０１が電源オフまたは休止状態の場合、MOSFET３１５−２のゲートにハイレベル信号を出力する。状態検出部３１３は、ＡＣアダプタ２０１またはバッテリ３１１から供給される電力により動作する。状態検出部３１３は、ＰＣ３０１が電源オフまたは休止状態の場合、バッテリ３１１から供給される電力（電源電圧ＶＣＣ）により動作する。
【００５４】
MOSFET３１５−１は、ＰチャネルMOSFETであり、ソースはＤＣ／ＤＣコンバータ３１２、ドレインはＡＣアダプタ２０１の状態信号端子、ゲートは抵抗３１４−２を介してMOSFET３１５−２のドレインにそれぞれ接続している。
【００５５】
MOSFET３１５−２は、ＮチャネルMOSFETであり、ソースはグラウンド、ドレインは抵抗３１４−２を介してMOSFET３１５−１のゲート、ゲートは状態検出部３１３にそれぞれ接続している。
【００５６】
ＰＣ３０１の動作について説明すると、状態検出部３１３は、ＰＣ３０１の状態を検出し、ＰＣ３０１が電源オフまたは休止状態の場合、MOSFET３１５−２のゲートにハイレベル信号を出力する。
【００５７】
それにより、MOSFET３１５−２はＯＮ状態となり、MOSFET３１５−１もＯＮ状態となり、MOSFET３１５−１はＡＣアダプタへハイレベルの状態信号を送出する。
【００５８】
また、状態検出部３１３は、ＰＣ３０１の状態を検出し、ＰＣ３０１が電源オン状態の場合、MOSFET３１５−２のゲートにローレベル信号を出力する。
【００５９】
それにより、MOSFET３１５−２はオフ状態となり、MOSFET３１５−１もオフ状態となり、MOSFET３１５−１はＡＣアダプタへローレベルまたはオープンの状態信号を送出する。
【００６０】
図４は、ＰＣの電源をオンからオフにしたときの各信号を示す図である。
図４は、状態信号、ＶＣＣ、制御回路入力電圧、ＰＦＣ制御回路入力電圧、ゲート信号、およびＡＣアダプタの出力の状態を示している。
【００６１】
ＰＣの電源がオンからオフになると、状態信号はハイレベルとなり、制御回路の電源電圧ＶＣＣはローレベルとなる。そして、制御回路入力電圧およびＰＦＣ制御回路入力電圧はローレベルとなり、ゲート信号はローレベルとなり、出力もローレベルとなる。
【００６２】
図５は、ＰＣの電源をオフからオンにしたときの各信号を示す図である。
図５は、状態信号、ＶＣＣ、制御回路入力電圧、ＰＦＣ制御回路入力電圧、ゲート信号、およびＡＣアダプタの出力の状態を示している。
【００６３】
ＰＣの電源がオフからオンになると、状態信号はローレベルまたはオープンとなり、制御回路の電源電圧ＶＣＣはハイレベルとなる。そして、制御回路入力電圧およびＰＦＣ制御回路入力電圧はハイレベルとなり、ゲート信号は発振し、出力はハイレベルとなる。
【００６４】
図６は、第１の実施の形態に係るＡＣアダプタの外観図である。
ＡＣアダプタ２０１は、交流を直流に変換する本体部４０１、PC３０１と接続に用いる端子４０２、および交流電源４０１に接続に用いるプラグ４０３を備える。本体部４０１と端子４０２、本体４０１とプラグ４０３は、それぞれケーブル４０４−１、４０４−２を介して接続している。
【００６５】
本体部４０１は、プラグ４０２を介して入力された交流をPC３０１に適した直流に変換し、端子４０３を介してPC３０１へ電力を供給する。
【００６６】
端子４０２は、本体部４０１からPC３０１への電流の供給とPCから本体部への状態信号の送信に用いられる。
【００６７】
プラグ４０３は、交流電源４０１の差込口に挿入することで、本体部４０１に交流が供給される。
【００６８】
尚、第２の実施の形態に係るＡＣアダプタ２０２も第１の実施の形態に係るＡＣアダプタ２０１と同様に交流を直流に変換する本体部４０１、PC３０１と接続に用いる端子４０２、および交流電源４０１に接続に用いるプラグ４０３を備える。
【００６９】
実施の形態のＡＣアダプタによれば、ＰＣが電源オフまたは休止状態の場合に、制御回路への電源電圧を停止することで消費電力を低減することが出来る。
【００７０】
また、実施の形態のＡＣアダプタによれば、ＰＣが電源オフまたは休止状態の場合に、ＰＦＣ制御回路への電源電圧を停止することで消費電力を低減することが出来る。
【００７１】
また、実施の形態のＡＣアダプタによれば、ＰＣが電源オフまたは休止状態の場合に、制御回路およびＰＦＣ制御回路への入力電圧及びＶＣＣを停止することで消費電力を低減することが出来る。
【図１】
2012104980.tif 000003
【図２】
2012104980.tif 000004
【図３】
2012104980.tif 000005
【図４】
2012104980.tif 000006
【図５】
2012104980.tif 000007
【図６】
2012104980.tif 000008
【手続補正書】
【提出日】平成23年12月2日(2011.12.2)
【手続補正２】
【補正対象書類名】特許請求の範囲
【補正対象項目名】全文
【補正方法】変更
【補正の内容】
【特許請求の範囲】
【請求項１】
電子機器と接続して電力を供給する電源装置であって、
前記電子機器への電力の供給を制御する複数の制御部と、
前記電子機器から前記電子機器の電源状態または前記電子機器の動作状態を示す状態信号を受信し、前記状態信号に基づいて、前記複数の制御部への電源電圧の供給を制御するスイッチング回路と、
を備える電源装置。
【請求項２】
前記スイッチング回路は、前記状態信号に基づいて、前記電子機器への電力の供給の制御に用いる前記複数の制御部への入力電圧をローレベルにすることを特徴とする請求項１記載の電源装置。
【請求項３】
前記スイッチング回路は、前記状態信号がハイレベル信号の場合に、前記複数の制御部の電源電圧の供給をローレベルにすることを特徴とする請求項１または２記載の電源装置。
【請求項４】
前記スイッチング回路は、前記状態信号がローレベル又はオープン信号の場合に、前記複数の制御部の電源電圧の供給を開始することを特徴とする請求項１または２記載の電源装置。
【請求項５】
前記スイッチング回路は、前記複数の制御部への入力電圧及び電源電圧を同時に停止することを特徴とする請求項２及び３に記載の電源装置。
【請求項６】
前記スイッチング回路は、フォトカプラ又はフォトMOSであることを特徴とする請求項１乃至５のいずれか一項に記載の電源装置。
【請求項７】
前記フォトカプラは、フォトカプラ発光ダイオードとフォトカプラ受光トランジスタで構成され、前記フォトカプラ発光ダイオードは、状態信号端子を介して電子機器と接続し、前記フォトカプラ発光ダイオードに電流が流れると前記フォトカプラ受光トランジスタが入力状態となることを特徴とする請求項６記載の電源装置。
【請求項８】
前記フォトMOSは、フォトMOS発光ダイオードとフォトMOS受光トランジスタで構成され、前記フォトMOS発光ダイオードは、状態信号端子を介して電子機器と接続し、前記フォトMOS発光ダイオードに電流が流れると前記フォトMOS受光トランジスタが入力状態となることを特徴とする請求項６記載の電源装置。
【請求項９】
電力を供給する電源装置と、
前記電源装置と接続する電子機器と、
を備える電子機器システムであって、
前記電子機器は、
前記電子機器に電力を供給するバッテリと、
前記電源装置または前記バッテリから供給される電力により動作し、前記電子機器の電源状態または前記電子機器の動作状態を検出し、前記電子機器の電源の状態または前記電子機器の動作状態を示す状態信号を前記電源装置に出力する状態検出部と、
を備え、
前記電源装置は、
前記電子機器への電力の供給を制御する複数の制御部と、
前記状態信号を受信し、前記状態信号に基づいて、前記複数の制御部への電源電圧の供給を制御するスイッチング回路と、
を備えることを特徴とする電子機器システム。
【請求項１０】
前記スイッチング回路は、前記状態信号に基づいて、前記電子機器への電力の供給の制御に用いる前記複数の制御部への入力電圧をローレベルにすることを特徴とする請求項９記載の電子機器システム。
【請求項１１】
前記スイッチング回路は、前記状態信号がハイレベル信号の場合に、前記複数の制御部の電源電圧の供給をローレベルにすることを特徴とする請求項９または１０記載の電子機器システム。
【請求項１２】
前記スイッチング回路は、前記状態信号がローレベル又はオープン信号の場合に、前記複数の制御部の電源電圧の供給を開始することを特徴とする請求項９または１０記載の電子機器システム。
【請求項１３】
前記スイッチング回路は、前記複数の制御部への入力電圧及び電源電圧を同時に停止することを特徴とする請求項１０及び１１に記載の電源装置。
【請求項１４】
前記スイッチング回路は、フォトカプラ又はフォトMOSであることを特徴とする請求項９乃至１３のいずれか一項に記載の電子機器システム。
【請求項１５】
前記電子機器の電源がオフの場合または前記電子機器が休止状態の場合、前記状態検出部は、前記状態信号としてハイレベル信号を出力することを特徴とする請求項９記載の電子機器システム。
【請求項１６】
前記状態検出部は、前記電子機器の電源がオフの場合または前記電子機器が休止状態の場合、前記バッテリから供給される電力により動作することを特徴とする請求項９または１５記載の電子機器システム。
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
電子機器と接続して電力を供給する電源装置であって、
前記電子機器への電力の供給を制御するＰＦＣ制御部と、
前記電子機器への電力の供給を制御するＰＷＭ制御部と、
前記電子機器から前記電子機器の電源状態または前記電子機器の動作状態を示すハイレベルの状態信号を受信し、前記ハイレベル状態信号に基づいて、前記ＰＦＣ制御部及び前記ＰＷＭ制御部への電源電圧の供給を停止するスイッチング回路と、
を備える電源装置。
【請求項２】
前記スイッチング回路は、前記ハイレベルの状態信号に基づいて、前記電子機器への電力の供給の制御に用いる前記ＰＦＣ制御部及び前記ＰＷＭ制御部への入力電圧をローレベルにすることを特徴とする請求項１記載の電源装置。
【請求項３】
前記スイッチング回路は、前記ハイレベルの状態信号がローレベル又はオープン信号の場合に、前記ＰＦＣ制御部及び前記ＰＷＭ制御部の電源電圧の供給を開始することを特徴とする請求項１または２記載の電源装置。
【請求項４】
前記スイッチング回路は、前記ＰＦＣ制御部及び前記ＰＷＭ制御部への入力電圧及び電源電圧を同時に停止することを特徴とする請求項２記載の電源装置。
【請求項５】
前記スイッチング回路は、フォトカプラ又はフォトＭＯＳであることを特徴とする請求項１乃至４のいずれか一項に記載の電源装置。
【請求項６】
前記フォトカプラは、フォトカプラ発光ダイオードとフォトカプラ受光トランジスタで構成され、前記フォトカプラ発光ダイオードは、状態信号端子を介して電子機器と接続し、前記フォトカプラ発光ダイオードに電流が流れると前記フォトカプラ受光トランジスタが入力状態となることを特徴とする請求項５記載の電源装置。
【請求項７】
前記フォトＭＯＳは、フォトＭＯＳ発光ダイオードとフォトＭＯＳ受光トランジスタで構成され、前記フォトＭＯＳ発光ダイオードは、状態信号端子を介して電子機器と接続し、前記フォトＭＯＳ発光ダイオードに電流が流れると前記フォトＭＯＳ受光トランジスタが入力状態となることを特徴とする請求項５記載の電源装置。
【請求項８】
電力を供給する電源装置と、
前記電源装置と接続する電子機器と、
を備える電子機器システムであって、
前記電子機器は、
前記電子機器に電力を供給するバッテリと、
前記電源装置または前記バッテリから供給される電力により動作し、前記電子機器の電源状態または前記電子機器の動作状態を検出し、前記電子機器の電源の状態または前記電子機器の動作状態を示すハイレベルの状態信号を前記電源装置に出力する状態検出部と、を備え、
前記電源装置は、
前記電子機器への電力の供給を制御するＰＦＣ制御部と、
前記電子機器への電力の供給を制御するＰＷＭ制御部と、
前記ハイレベルの状態信号を受信し、前記ハイレベルの状態信号に基づいて、前記ＰＦＣ制御部及び前記ＰＷＭ制御部への電源電圧の供給を停止するスイッチング回路と、
を備えることを特徴とする電子機器システム。
【請求項９】
前記スイッチング回路は、前記ハイレベルの状態信号に基づいて、前記電子機器への電力の供給の制御に用いる前記ＰＦＣ制御部及び前記ＰＷＭ制御部への入力電圧をローレベルにすることを特徴とする請求項８記載の電子機器システム。
【請求項１０】
前記スイッチング回路は、前記ハイレベルの状態信号がローレベル又はオープン信号の場合に、前記ＰＦＣ制御部及び前記ＰＷＭ制御部の電源電圧の供給を開始することを特徴とする請求項８または９記載の電子機器システム。
【請求項１１】
前記スイッチング回路は、前記ＰＦＣ制御部及び前記ＰＷＭ制御部への入力電圧及び電源電圧を同時に停止することを特徴とする請求項９に記載の電子機器システム。
【請求項１２】
前記スイッチング回路は、フォトカプラ又はフォトＭＯＳであることを特徴とする請求項８乃至１１のいずれか一項に記載の電子機器システム。
【請求項１３】
前記電子機器の電源がオフの場合または前記電子機器が休止状態の場合、前記状態検出部は、前記状態信号としてハイレベル信号を出力することを特徴とする請求項８記載の電子機器システム。
【請求項１４】
前記状態検出部は、前記電子機器の電源がオフの場合または前記電子機器が休止状態の場合、前記バッテリから供給される電力により動作することを特徴とする請求項８または１３記載の電子機器システム。
【国際調査報告】
2012104980.tif 000009
2012104980.tif 000010
2012104980.tif 000011